(57)【要約】【課題】トラッキング方向の位置を検出できる対物レンズアクチュエータを提供する。【解決手段】対物レンズ１０２を搭載するボビン１０１は、トラック方向の両端で、それぞれ３本のバネ１０３により、固定基板１１５に弾性的に支持されている。固定基板１１５のバネ１０３の固定部近傍には、ひずみゲージ１１９が装着される。ひずみゲージ１１９は、ボビン１０１がトラッキング方向に駆動された際の固定基板１１５の変形量を検出する。検出回路１２１は、ひずみゲージ１１９の出力から、対物レンズ１０２のトラッキング方向の位置を検出する。【選択図】図１
2007157201.tif 000002
【特許請求の範囲】
【請求項１】
光源からの光を光ディスク媒体に集光させる対物レンズを搭載し、該対物レンズを少なくともフォーカシング方向及びトラッキング方向に駆動する可動部と、一端が固定基板に固定され、他端が前記可動部に固定されて前記可動部を固定基板に支持する弾性支持部材とを備える対物レンズアクチュエータにおいて、
前記固定基板の弾性支持部材が固定された固定位置の近傍に、前記固定基板の変形を測定する変形測定手段を備えたことを特徴とする対物レンズアクチュエータ。
【請求項２】
前記変形測定手段が、前記固定基板の前記固定位置の周囲に断続的に形成された複数のスリットで囲まれた変形部と、該変形部のトラッキング方向の一端部に配置されたひずみセンサとを含む、請求項１に記載の対物レンズアクチュエータ。
【請求項３】
前記変形部が、前記固定基板のトラッキング方向の一方の端部に形成され、トラッキング方向に延びる一対の直線状スリットと、それぞれの直線状スリットの延長線上に延びる一辺と該一辺から直交方向にかつ互いに向かい合う方向に延びる一辺とから構成される一対のかぎ状スリットとにより構成される矩形状変形部である、請求項２に記載の対物レンズアクチュエータ。
【請求項４】
前記ひずみセンサが、前記２つのかぎ状スリットの間に配置される、請求項３に記載の対物レンズアクチュエータ。
【請求項５】
前記固定基板には、トラッキング方向の他方の端部に、前記変形部と同形状の別の変形部が更に形成される、請求項３又は４に記載の対物レンズアクチュエータ。
【請求項６】
前記ひずみセンサのひずみ測定方向がトラッキング方向である、請求項２〜５の何れか一に記載の対物レンズアクチュエータ。
【請求項７】
前記弾性支持部材が、固定基板のフォーカシング方向の両端で、それぞれフォーカシング方向に並ぶ３つのバネ部材からなり、前記変形測定手段が、該３つのバネ部材のうちの中央に位置するバネ部材が固定された固定位置の近傍に配置される、請求項１〜６の何れか一に記載の対物レンズアクチュエータ。
【請求項８】
前記対物レンズ駆動機構が、前記可動部を、更にラジアルチルト方向に駆動する、請求項１〜７の何れか一に記載の対物レンズアクチュエータ。
【請求項９】
前記変形測定手段が測定した前記固定基板の変形量から、前記可動部のトラッキング方向の位置を検出する位置検出回路を更に備える、請求項１〜８の何れか一に記載の対物レンズアクチュエータ。
【請求項１０】
前記位置検出回路が検出した前記可動部の位置に基づいて、前記可動部のトラッキング方向の駆動量を制御する制御回路を更に備える、請求項１〜９の何れか一に記載の対物レンズアクチュエータ。
【請求項１１】
請求項１〜１０の何れか一に記載の対物レンズアクチュエータを備えることを特徴とする光ディスク装置。
【発明の詳細な説明】
【技術分野】
【０００１】
本発明は、対物レンズアクチュエータ及び光ディスク装置に関し、更に詳しくは、光ディスクに光スポットを照射する対物レンズを少なくともフォーカシング方向及びトラッキング方向に駆動する対物レンズアクチュエータ、及び、そのような対物レンズアクチュエータを備えた光ディスク装置に関する。
【背景技術】
【０００２】
近年、光ディスク装置が備える光ヘッドには、高速アクセス性が要望されている。しかしながら、光ヘッドを高速アクセスすると、光ヘッドが急停止した際に、光ヘッドには大きな加速度が加わることになる。このため、光ヘッドの急停止後には、光ヘッド内でダンパーを介して支持されている対物レンズに振動が発生し、速やかに安定したトラッキングに移ることができないという問題が発生する。このような問題に対しては、対物レンズのトラッキング方向の位置を検出し、検出した位置に基づいて、急速なヘッド停止に伴う対物レンズの振動を抑制するように制御する技術がある。
【０００３】
従来、代表的な対物レンズ位置検出機構としては、対物レンズが搭載されるレンズホルダに発光素子から光を照射し、その反射光を受光素子で検出することによって対物レンズの位置を検出する機構がある（例えば特許文献１参照）。図９は、上記代表的な対物レンズ位置検出機構を備えた対物レンズアクチュエータの構成を斜視図で示している。また、図１０は、図９に示す対物レンズアクチュエータ２００から磁気回路部分を除いた構成を示している。ボビン１０１は、対物レンズ１０２を搭載しており、対物レンズアクチュエータの可動部を構成する。このボビン１０１の外周にはフォーカスコイル１０４が巻かれ、ボビン１０１のトラッキング方向と直行する方向の両側の側面には、それぞれトラックコイル１０５が２つ配置される。
【０００４】
ボビン１０１は、弾性支持部材であるバネ１２４により、固定部連結部材１２５を介して固定部１１２に結合される。固定部１１２には、マグネット１１０と、それに対向する磁性材料で形成されたヨーク１１１とから成る対が、前方及び後方にそれぞれ形成されている。ボビン１０１には、ヨーク１１１を収容するための貫通孔１０６が配置されている。マグネット１１０とヨーク１１１とは、ギャップを隔てて相互に対向しており、そのギャップの磁界中にセットされたフォーカスコイル１０４及びトラックコイル１０５の有効部分は、ボビン１０１を、対物レンズ１０２の光軸方向であるフォーカシング方向と、それと直交するトラッキング方向とに駆動するための駆動力を発生する。すなわち、マグネット１１０、ヨーク１１１、フォーカスコイル１０４、及び、トラックコイル１０５は、磁気回路における磁力発生部材を構成する。
【０００５】
図１１は、位置センサ１２７と対物レンズアクチュエータの可動部（ボビン１０１）との位置関係を示している。ボビン１０１のトラッキング方向の側面のそれぞれには、反射板１２６が固定される。固定部１１２には、ボビン１０１をトラッキング方向の両側から挟みこむ位置に、それぞれ位置センサ１２７が固定される。位置センサ１２７は、腕部と一体に形成された発光素子１２７Ａと受光素子１２７Ｂとを有する。反射板１２６と位置センサ１２７とは、対向しており、発光素子１２７Ａから出力された散乱光は、反射板１２６で反射して、受光素子１２７Ｂに入射する。
【０００６】
トラックコイル１０５に電流が供給され、ボビン１０１がトラッキング方向に移動すると、トラッキング方向の何れか一方側では、反射板１２６と位置センサ１２７との間の距離が近付き、受光素子１２７Ｂに入射する光は、ボビン１０１が中立位置（フォーカシング方向及びトラッキング方向の駆動量が０の位置）にあるときに比して増加する。また、トラッキング方向の他方側では、反射板１２６と位置センサ１２７との間の距離が遠ざかり、受光素子１２７Ｂに入射する光は、ボビン１０１が中立位置にあるときに比して減少する。従って、２つの位置センサ１２７の受光素子１２７Ｂが受光した光の量を調べることにより、可動部のトラッキング方向の位置が検出できる。
【特許文献１】特開２０００−１１３４７５号公報
【発明の開示】
【発明が解決しようとする課題】
【０００７】
近年コンピュータで扱われる情報量は大容量化しており、それに伴って、光ディスクに要求される記録容量も大容量化のすう勢にある。光ディスクの大容量化に対しては、情報記録面に照射するレーザ光の集光ビーム径を微小にして、記録密度を高密度化することにより対応できる。この集光ビーム径の微小化は、レーザ光源の短波長化や、対物レンズの高ＮＡ化により実現できる。しかしながら、対物レンズのＮＡを高くすると、対物レンズで集光されるレーザ光の光軸に対する光ディスクのチルト許容量が減少する。このため、そのような光ディスク装置では、可動部を、フォーカシング方向及びトラッキング方向に加えて、ラジアルチルト方向に対しても駆動して、レーザ光の光軸方向を補正する必要がある。
【０００８】
図１２は、可動部をラジアルチルト方向に駆動した際の位置センサ１２７とボビン１０１との位置関係を示している。可動部をトラッキング方向には移動させず、ラジアルチルト方向にのみ移動させると、反射板１２６が、中立位置の状態からラジアルチルト方向に傾くことにより、位置センサ１２７の発光素子１２７Ａから出射され、受光素子１２７Ｂで受光する光の量は、トラッキング方向に移動した場合と同様に、中立位置の状態に比して減少する。従って、位置センサ１２７の出力のみでは、トラッキング方向の移動と、ラジアルチルト方向の移動とを区別できず、トラッキング方向の位置を正しく検出することができないという問題が発生する。
【０００９】
本発明は、上記従来技術の問題点を解消し、可動部がフォーカシング方向及びトラッキング方向に加えてラジアルチルト方向に駆動される場合でも、可動部のトラッキング方向の位置を正しく検出できる対物レンズアクチュエータ、及び、そのような対物レンズアクチュエータを備えた光ディスク装置を提供することを目的とする。
【課題を解決するための手段】
【００１０】
上記課題を解決するために、本発明の対物レンズアクチュエータは、光源からの光を光ディスク媒体に集光させる対物レンズを搭載し、該対物レンズを少なくともフォーカシング方向及びトラッキング方向に駆動する可動部と、一端が固定基板に固定され、他端が前記可動部に固定されて前記可動部を固定基板に支持する弾性支持部材とを備える対物レンズアクチュエータにおいて、前記固定基板の弾性支持部材が固定された固定位置の近傍に、前記固定基板の変形を測定する変形測定手段を備えたことを特徴とする。
【００１１】
本発明の対物レンズアクチュエータは、固定基板の弾性支持部材の固定部近傍に、変形測定手段を備える。対物レンズアクチュエータの固定基板は、可動部がトラッキング方向に移動すると、弾性支持部材の固定部付近に応力が発生し、固定基板に変形が生じる。本発明の対物レンズアクチュエータでは、この変形を、変形測定手段によって測定することで、対物レンズの移動量を検出することができ、対物レンズの位置を検出できる。
【００１２】
本発明の対物レンズアクチュエータでは、前記変形測定手段が、前記固定基板の前記固定位置の周囲に断続的に形成された複数のスリットで囲まれた変形部と、該変形部のトラッキング方向の一端部に配置されたひずみセンサとを含む構成を採用できる。このような変形部を設けることにより、変形部周辺の固定基板の強度を低くすることができ、可動部が駆動された際の変形測定手段近傍の固定基板の変形量を大きくすることができる。また、変形部のトラッキング方向の一端部にひずみセンサを配置することにより、可動部がトラッキング方向に駆動された際の変形量をひずみセンサで検出することができ、可動部のトラッキング方向の位置を検出できる。
【００１３】
本発明の対物レンズアクチュエータでは、前記変形部が、前記固定基板のトラッキング方向の一方の端部に形成され、トラッキング方向に延びる一対の直線状スリットと、それぞれの直線状スリットの延長線上に延びる一辺と該一辺から直交方向にかつ互いに向かい合う方向に延びる一辺とから構成される一対のかぎ状スリットとにより構成される矩形状変形部である構成を採用できる。この場合、前記ひずみセンサが、前記２つのかぎ状スリットの間に配置される構成を採用できる。このような構成により、矩形変形部のかぎ状スリットが形成された一端側の変形量をひずみセンサで検出することにより、可動部のトラッキング方向の移動量を検出できる。
【００１４】
本発明の対物レンズアクチュエータは、前記固定基板には、トラッキング方向の他方の端部に、前記変形部と同形状の別の変形部が更に形成されることが好ましい。固定基板のトラッキング方向の一端側のみに変形部を形成すると、固定基板のトラッキング方向の両端の剛性バランスが崩れて、可動部の駆動に影響が出ることも考えられる。変形部を、固定基板のトラッキング方向の両側に形成する場合には、固定基板のトラッキング方向の両端での剛性を同じにすることができ、可動部の駆動に影響が出にくく、可動部の制御が容易となる。
【００１５】
本発明の対物レンズアクチュエータでは、前記ひずみセンサのひずみ測定方向がトラッキング方向である構成を採用できる。ひずみセンサの測定方向をトラッキング方向とすることで、可動部がフォーカシング方向やラジアルチルト方向に駆動された際にも、トラッキング方向の駆動量のみを、十分な精度で検出できる。
【００１６】
本発明の対物レンズアクチュエータでは、前記弾性支持部材が、固定基板のフォーカシング方向の両端で、それぞれフォーカシング方向に並ぶ３つのバネ部材からなり、前記変形測定手段が、該３つのバネ部材のうちの中央に位置するバネ部材が固定された固定位置の近傍に配置される構成を採用できる。この場合、固定基板のフォーカシング方向の剛性バランスを、フォーカシング方向に対称とすることができ、可動部の制御が容易となる。
【００１７】
本発明の対物レンズアクチュエータでは、前記対物レンズ駆動機構が、前記可動部を、更にラジアルチルト方向に駆動する構成を採用できる。可動部がトラッキング方向及びフォーカシング方向に加えて、ラジアルチルト方向に駆動される場合でも、変形測定手段によって、トラッキング方向の位置を検出できる。
【００１８】
本発明の対物レンズアクチュエータは、前記変形測定手段が測定した前記固定基板の変形量から、前記可動部のトラッキング方向の位置を検出する位置検出回路を更に備える構成を採用できる。この場合、前記位置検出回路が検出した前記可動部の位置に基づいて、前記可動部のトラッキング方向の駆動量を制御する制御回路を更に備える構成を採用できる。高速アクセス時に、対物レンズアクチュエータを搭載するヘッドを停止させる際に、制御回路により、位置検出回路が検出した可動部のフォーカシング方向に位置に基づいてトラッキング方向の駆動量を制御することで、急速なヘッド停止に伴う可動部の振動を抑制できる。
【００１９】
本発明の光ディスク装置は、上記本発明の対物レンズアクチュエータを備えることを特徴とする。
【発明の効果】
【００２０】
本発明の対物レンズアクチュエータ及び光ディスク装置では、固定基板の弾性支持部材の固定部近傍の変形測定手段により、可動部がトラッキング方向に移動した際の固定基板に変形を測定する。これにより、可動部のトラッキング方向の移動量を検出することができ、可動部がトラッキング方向及びフォーカシング方向に加えて、ラジアルチルト方向に駆動される場合についても、対物レンズのトラッキング方向の位置を検出することができる。
【発明を実施するための最良の形態】
【００２１】
以下、図面を参照し、本発明の実施の形態を詳細に説明する。図１は、本発明の対物レンズアクチュエータの構成を斜視図で示しており、図２は、図１から磁気回路部分を除いた構成を示している。対物レンズアクチュエータ１００は、ボビン１０１、対物レンズ１０２、バネ１０３、フォーカスコイル１０４、トラックコイル１０５、固定部連結部材１０８、マグネット１１０、ヨーク１１１、固定部１１２、チルトコイル１１３、チルトマグネット１１４、固定基板１１５、ひずみゲージ１１９、検出回路１２１、制御回路１２２、及び、駆動回路１２３を備える。この対物レンズアクチュエータ１００は、光ディスク装置に搭載される。
【００２２】
ボビン１０１は、光ディスクに光スポットを照射する対物レンズ１０２を搭載する。ボビン１０１の外周には、フォーカシング方向への推力を発生するフォーカスコイル１０４が巻かれている。また、トラッキング方向及びフォーカシング方向に直交する方向の双方の側面には、トラッキング方向への推力を発生する一対のトラックコイル１０５が装着され、トラッキング方向（左右方向）の双方の側面には、ラジアルチルト方向への推力を発生するチルトコイル１１３が装着されている。ボビン１０１は、左右３本、計６本のバネ１０３によって、固定基板１１５及び固定部連結部材１０８を介して、固定部１１２に結合されており、対物レンズアクチュエータ１００の可動部を構成する。
【００２３】
固定基板１１５は、例えばガラスエポキシで形成される。バネ１０３は、導電性を有する弾性支持部材として構成され、固定基板１１５に半田付け固定される。固定基板１１５の表面には、フォーカスコイル１０４、トラックコイル１０５、及び、チルトコイル１１３を駆動する信号を供給するための回路パターンが形成されており、各コイルには、バネ１０３をその回路パターン及びバネ１０３を介して信号が供給される。固定基板１１５は、固定部連結部材１０８に固定され、固定部連結部材１０８は、固定部１１２に固定されている。
【００２４】
固定部１１２は、マグネット１１０と、それに対向する磁性材料で形成されたヨーク１１１とから成る対を、ボビン１０１のトラッキング方向及びフォーカシング方向に直交する方向の双方（前方及び後方）に有する。ボビン１０１には、ヨーク１１１を収容するための貫通孔１０６が形成されている。マグネット１１０とヨーク１１１とは、ギャップを隔てて相互に対向しており、そのギャップの磁界中にセットされたフォーカスコイル１０４及びトラックコイル１０５の有効部分は、対物レンズ１０２の光軸方向であるフォーカシング方向と、それと直交するトラッキング方向とに、ボビン１０１を駆動するための駆動力を発生する。
【００２５】
また、固定部１１２は、チルトマグネット１１４を、ボビン１０１をトラッキング方向から挟み込む位置にそれぞれ有する。チルトマグネット１１４は、ほぼ中央部を境に光軸方向に二分割され、その上部と下部とで極性が異なるように、２極に着磁された磁石で構成される。チルトマグネット１１４は、ボビン１０１に装着されたチルトコイル１１３と対向し、チルトコイル１１３は、ボビン１０１を、ラジアルチルト方向に駆動するための駆動力を発生する。
【００２６】
図３は、固定基板１１５の一部を拡大して示している。固定基板１１５は、トラッキング方向の一端側のバネ１０３の固定部近傍に、矩形変形部１１８とひずみゲージ１１９とから成る変形測定手段を有する。矩形変形部１１８は、バネ１０３の固定部分を中心として、固定基板１１５の端部に形成された一対の直線状スリット１１６、及び、直線状スリット１１６の延長線上に延びる一辺とその一辺から直交方向にかつ互いに向かい合う方向に延びる一辺とから構成される一対のかぎ状スリット１１７により構成される。
【００２７】
矩形変形部１１８を構成するかぎ状スリット１１７は、フォーカシング方向（上下方向）に分離されており、上下のかぎ状スリット１１７の間には、ひずみゲージ１１９が装着される。ひずみゲージ１１９は、物体に発生する微小な伸び縮みを測定するセンサとして構成される。ひずみゲージ１１９は、例えば、薄い絶縁物と、その絶縁物上に形成された抵抗線と、抵抗線に接続された出力線とを有する。ひずみゲージ１１９は、測定方向（伸び縮みに対して出力が変化しやすい方向）がトラッキング方向と一致するように装着される。
【００２８】
ボビン１０１が、フォーカシング方向、トラッキング方向、又は、ラジアルチルト方向に駆動されると、バネ１０３がたわみ、バネ１０３が半田付け固定された固定基板１１５は、バネ１０３がたわんだことによる応力を受け止める。これにより、バネ１０３の固定部分には、固定基板１１５を変形させようとする力が働く。固定基板１１５の矩形変形部１１８が形成された部分の強度は、他の部分に比して弱くなっており、固定基板１１５は、ボビン１０１の駆動に伴い、その駆動量に応じて、主に矩形変形部１１８が変形する。
【００２９】
図４は、固定部連結部材１０８及び固定基板１１５の展開斜視図を示している。固定部連結部材１０８の、固定基板１１５の直線状スリット１１６及びかぎ状スリット１１７が形成された部分の裏面側には、それぞれざぐり部１２０が設けられており、矩形変形部１１８の変形を阻害しないようになっている。このような構成を採用することで、矩形変形部１１８を設けない場合に比して、固定基板１１５の変形量を、およそ４割大きくすることができ、固定基板１１５の変形量を測定しやすくすることができる。
【００３０】
ここで、矩形変形部１１８は、３本のバネ１０３のうちの中央の周りに形成されることが望ましい。これは、仮にフォーカシング方向上側のバネ１０３の周りに矩形変形部１１８を形成すると、上側のバネ１０３の固定基板１１５との接続部分の剛性が、下側２本のバネ１０３の剛性に比して低くなり、剛性の上下のバランスが崩れることになるからである。上下の剛性バラスが崩れると、対物レンズアクチュエータの特性が悪化し、可動部を駆動した際に、対物レンズ１０２の光軸が、光ディスクに対して垂直にならない事態が発生しやすい。これに対し、矩形変形部１１８を中央のバネ１０３の周りに形成する場合には、上下の剛性バランスは崩れず、対物レンズアクチュエータの特性が悪化しない。
【００３１】
また、矩形変形部１１８をトラッキング方向の何れかのみに形成すると、左右での剛性バランスが崩れ、対物レンズアクチュエータの特性が悪化する。従って、矩形変形部１１８は、トラッキング方向の一方側にのみ形成するのではなく、他方側にも形成することが望ましい。この場合、ひずみゲージ１１９については、双方の矩形変形部１１８に装着する必要はなく、何れか一方側にのみ装着すればよい。
【００３２】
図５は、ボビン１０１をトラッキング方向に駆動した際の矩形変形部１１８近傍の変形の様子を斜視図で示しており、図６は、図５に示す変形を、フォーカシング方向から見た断面で示している。同図では、バネ１０３、ひずみゲージ１１９、及び、固定基板１１５上の回路パターン等は省略して図示している。可動部が中立位置にあるときには、図５及び図６中に点線で示すように、矩形変形部１１８（固定基板１１５）には変形が生じない。可動部がトラッキング方向に駆動されると、バネ１０３の付け根部分にトラッキング方向の移動に伴う応力が加わり、矩形変形部１１８は、図５及び図６に実線で示すように変形する。
【００３３】
トラッキング方向駆動時の矩形変形部１１８の変形の様子を見ると、矩形変形部１１８の直線状スリット１１６が形成された側の端部は、図６に示すように、フォーカシング方向から見て、プラスの方向（紙面上側）に引っ張られ、かぎ状スリット１１７が形成された側の端部は、マイナス方向（下側）に膨れている。このように、矩形変形部１１８のひずみゲージ１１９が装着された一端は、ひずみゲージ１１９の測定方向に沿って延び変形をしており、ひずみゲージ１１９は、可動部のトラッキング方向の移動に応じて、その出力が変化する。
【００３４】
図７及び図８は、可動部をそれぞれフォーカシング方向及びラジアルチルト方向に駆動した際の矩形変形部１１８近傍の変形の様子を斜視図で示している。可動部を、フォーカシング方向又はラジアルチルト方向に駆動すると、固定基板１１５は、ひずみゲージ１１９が装着されたかぎ状スリット１１７近傍では、ねじれ変形を起こす。この場合、ひずみゲージ１１９の出力は、トラッキング方向駆動時に比して小さくなる。本実施形態の構成では、かぎ状スリット１１７近傍のトラッキング方向駆動時の変形量は、フォーカシング方向及びラジアル方向駆動時のおよそ１００倍となっている。このため、可動部が全方向に同時に駆動された場合でも、ひずみゲージ１１９の出力から、トラッキング方向の移動に伴う変形量を十分な精度で分離できる。従って、ひずみゲージ１１９の出力から、可動部のトラッキング方向の位置を検出することが可能である。
【００３５】
図１に戻り、ひずみゲージ１１９の出力線は、検出回路１２１に入力される。検出回路１２１は、例えばホイートストンブリッジ及び増幅回路を含み、ひずみゲージ１１９の出力から固定基板１１５の変形を検出し、検出した固定基板１１５の変形量に基づいて、対物レンズ１０１の位置を検出する。駆動回路１２３は、対物レンズアクチュエータ１００の可動部（ボビン１０１）を、フォーカシング方向、トラッキング方向、及び、ラジアルチルト方向に駆動するための信号を生成する。制御回路１２２は、駆動回路１２３を介して、対物レンズアクチュエータ１００を搭載する光ヘッドが高速アクセスする間、対物レンズ位置信号が高速アクセス開始直前の値から変動しないように、可動部を制御する。このようにすることで、高速アクセスが終了し光ヘッドが急停止した場合でも、可動部は高速アクセス前の位置にいるため、首振り運動をおこさずに速やかに安定したトラッキング動作に移ることができる。
【００３６】
本実施形態では、固定基板１１５のバネ１０３の固定部分の近傍に直線状スリット１１６及びかぎ状スリット１１７から成る矩形変形部１１８を設け、かぎ状スリット１１７近傍に、ひずみゲージ１１９を装着する。このひずみゲージ１１９の出力により、トラッキング方向の移動に伴う矩形変形部１１８の変形を検出して、トラック情報の位置を検出する。このようにすることで、可動部が、フォーカシング方向及びトラッキング方向に加えて、ラジアルチルト方向に駆動される場合でも、トラッキング方向の位置のみを検出することができる。従って、このような対物レンズアクチュエータ１００を備える光ディスク装置では、光ヘッドが高速アクセスする場合でも、高速アクセス後に、速やかに安定したトラッキング動作に移ることができる。
【００３７】
以上、本発明をその好適な実施形態に基づいて説明したが、本発明の対物レンズアクチュエータ及び光ディスク装置は、上記実施形態例にのみ限定されるものではなく、上記実施形態の構成から種々の修正及び変更を施したものも、本発明の範囲に含まれる。
【図面の簡単な説明】
【００３８】
【図１】本発明の対物レンズアクチュエータの構成を示す斜視図。
【図２】図１から磁気回路部分を除いた構成を示す斜視図。
【図３】固定基板の一部を拡大して示す斜視図。
【図４】固定部連結部材及び固定基板を示す展開斜視図。
【図５】ボビンをトラッキング方向に駆動した際の矩形変形部近傍の変形の様子を示す斜視図。
【図６】図５に示す変形を、フォーカシング方向から見た断面で示す断面図。
【図７】可動部をそれぞれフォーカシング方向及びラジアルチルト方向に駆動した際の矩形変形部近傍の変形の様子を示す斜視図。
【図８】可動部をそれぞれフォーカシング方向及びラジアルチルト方向に駆動した際の矩形変形部近傍の変形の様子を示す斜視図。
【図９】代表的な対物レンズ位置検出機構を備えた対物レンズアクチュエータの構成を示す斜視図。
【図１０】図９に示す対物レンズアクチュエータから磁気回路部分を除いた構成を示す斜視図。
【図１１】位置センサと対物レンズアクチュエータの可動部との位置関係を示す図。
【図１２】可動部をラジアルチルト方向に駆動した際の位置センサとボビンとの位置関係を示す図。
【符号の説明】
【００３９】
１０１：ボビン
１０２：対物レンズ
１０３：バネ
１０４：フォーカスコイル
１０５：トラックコイル
１０６：貫通孔
１０８：固定部連結部材
１１０： マグネット
１１１：ヨーク
１１２：固定部
１１３：チルトコイル
１１４：チルトマグネット
１１５：固定基板
１１６：直線状スリット
１１７：かぎ状スリット
１１８：矩形変形部
１１９：ひずみゲージ
１２０：ざぐり部
１２１：検出回路
１２２：制御回路
１２３：駆動回路
１２４：ばね
１２５：固定部連結部材
１２６：反射板
１２７：位置センサ
１２７Ａ：発光素子
１２７Ｂ：受光素子
【図１】
2007157201.tif 000003
【図２】
2007157201.tif 000004
【図３】
2007157201.tif 000005
【図４】
2007157201.tif 000006
【図５】
2007157201.tif 000007
【図６】
2007157201.tif 000008
【図７】
2007157201.tif 000009
【図８】
2007157201.tif 000010
【図９】
2007157201.tif 000011
【図１０】
2007157201.tif 000012
【図１１】
2007157201.tif 000013
【図１２】
2007157201.tif 000014